(57)【特許請求の範囲】
【請求項１】
遊技球が流下する遊技領域が前面に設けられた遊技盤を有する本体と、この本体が内側に嵌め込まれた外枠と、前記遊技盤の背面を覆う裏カバー部材とを備え、前記本体は前記外枠の左右方向における一方の側部に前方へ回動可能に取り付けられたパチンコ機において、
前記裏カバー部材の左右方向における一方の側部を、前記本体の左右方向における一方の側部に対し、前記本体の前記外枠に対する回動の回転端よりも後方において回動可能に支持する回動支持手段と、前記裏カバー部材の左右方向における一方側とは反対側の他方の側部を、前記本体の左右方向における他方の側部に対し着脱可能とする着脱手段と、が設けられ、
前記回動支持手段は、前記裏カバー部材および前記本体のいずれか一方に設けられて上下方向を軸方向とする軸部と、前記裏カバー部材および前記本体のいずれか他方に設けられ、前記軸部が挿入された軸受部と、を備え、
前記軸受部は、前記軸部の軸方向に直交する切断面での前記軸受部の断面形状がＣ字形状に形成されて前記軸部をこの軸部の周方向に１８０°よりも大きな角度範囲で包囲して位置するものであり、かつ、前記軸部の周方向における両端間にあいた開口部が広がるよう弾性変形可能なものであり、
前記開口部は前記軸受部の弾性変形により前記軸部が通過可能に広がることによって、前記裏カバー部材が前記本体に対し左右方向における他方側から一方側に向かう方向に移動するよう前記軸部と前記軸受部の相対移動を許可する
ことを特徴とするパチンコ機。
【発明の詳細な説明】
【技術分野】
【０００１】
本発明は、遊技盤を有する本体と、この本体が内側に嵌め込まれた外枠と、遊技盤の背面を覆う裏カバー部材とを備え、本体は外枠に対し前方へ回動可能に設けられ、裏カバー部材は本体に対し後方へ回動可能に取り付けられたパチンコ機に関する。
【背景技術】
【０００２】
一般にパチンコ機は、外枠と、この外枠の左右方向における一方の側部に開き戸状に回動可能に取り付けられた前面扉とを備えている。前面扉には透明窓が設けられている。外枠の内側には、パチンコ機の本体が嵌め込まれている。この本体は、前面に遊技球が流下する遊技領域が設けられた遊技盤と、この遊技盤が内側に嵌め込まれた本体枠とを有する。本体の背面には、遊技盤の背面を覆う裏カバー部材が設けられている。
【０００３】
遊技領域には、特別図柄を表示する特別図柄表示装置、普通図柄を表示する普通図柄表示装置が設けられている。遊技領域の略中央には液晶表示装置を視認可能にする視認窓が設けられており、その視認窓の周囲には可動役物装置が設けられている。液晶表示装置は特別図柄に係る電子抽選を演出するための画面を表示するものであり、可動役物装置は構造物を機構により動作させることで、特別図柄に係る電子抽選を演出するものである。遊技領域には、それらの他にも、電飾のためのＬＥＤ、電動チューリップ、大入賞口装置（アタッカー）が設けられている。このように遊技領域に設けられた種々の装置を駆動制御する諸装置が遊技盤の背面に設けられており、それらの諸装置を裏カバー部材が覆っている。
【０００４】
本体枠の左右方向における一方の側部は、外枠の左右方向の一方の側部に対し回動可能に取り付けられており、これによって本体は外枠に対し前方へ開き戸状に回動可能となっている。裏カバー部材の左右方向の一方側とは反対方向である他方側の側部は、すなわち、本体の回転端側とは反対側の側部は、本体に対し回動可能に取り付けられており、これにより、外枠に対し本体を前方へ回動させていない状態において裏カバー部材は本体に対し後方へ開き戸状に回動可能になっている。また、裏カバー部材の回動の自由端は本体に対し係脱可能となっており、さらに裏カバー部材は本体に対し着脱可能となっている。
【０００５】
この種のパチンコ機については特許文献１，２を参照されたい。
【先行技術文献】
【特許文献】
【０００６】
【特許文献１】特開２００８−７９９５７号公報（段落００１８，００１９）
【特許文献２】特開２００８−２８４２５２号公報（段落００４６，００７３，００７４）
【発明の概要】
【発明が解決しようとする課題】
【０００７】
前述のように外枠に対し本体が回動可能であり、この本体に対し裏カバー部材が回動可能であるのは、パチンコ機を島に組み込んだ状態のままで、遊技盤の背面の装置に対しメンテナンスを行えるようにするためである。このメンテナンスの際、作業者は外枠に対し前面扉と本体とを外枠に対し前方に９０°程度回動させた状態で裏カバー部材を本体に対し９０°程度回動させることによって、あるいは前面扉と本体とを外枠に対し９０°程度よりも小さな角度まで回動させた状態で裏カバー部材を本体から取り外すことによって、遊技盤の背面の装置と作業者との間に作業スペースを確保する。
【０００８】
パチンコ機の島ではパチンコ機は別のパチンコ機と上下方向に長細いカードリーダを挟んで隣接して位置する。また、遊技場で平行して位置する島間の通路の幅は大人１人分程度という狭さであることが多い。これらのことを考慮すると、前面扉と本体とを外枠に対し９０°程度も前方へ回動させた場合、メンテナンスの対象となったパチンコ機と隣接する別のパチンコ機の遊技者、および、島間の通路の通行人にとって前面扉が邪魔になりかねない。また、裏カバー部材を本体から取り外すことで外枠に対する前面扉と本体との回動角度を９０°程度よりも小さく済ませる場合、メンテナンス前の裏カバー部材の取外しとメンテナンス後の裏カバー部材の取付けとが煩わしい。
【０００９】
そこで、本願発明者は、本体の回転端と裏カバー部材の回転端との両方を、外枠の左右方向における一方側に設けることを考案した。この考案に係るパチンコ機によれば、本体を外枠に対し前方へ回動させた状態において裏カバー部材を本体に対し回動させることで、本体の自由端側から遊技盤の背面側を露出させることができる。この結果、本体の外枠に対する前方への回動角度を９０°程度も回動させることなく、かつ裏カバー部材の本体に対する取外しと取付けを行わずに、遊技盤の背面の装置に対しメンテナンスを行うことができる。
【００１０】
しかし、その考案に係るパチンコ機においては、裏カバー部材は本体の背面に取り付けられるものであり、裏カバー部材の回転端は本体の回転端よりも後方に位置するので、本体が外枠に対して前方へ回動すると、裏カバー部材は外枠に対し左右方向における一方から他方に向かって移動することになる。このため、裏カバー部材の自由端が本体に係止されていない状態で本体を外枠に対し前方へ回動させたとき、裏カバー部材の自由端は、本体に係止されていた状態での軌道の外側に移動する。したがって、裏カバー部材の自由端が本体に係止されていない状態で本体が外枠に対し前方へ回動されると、裏カバー部材の自由端が、本体の回転端側とは反対側の外枠の側部、または、この側部の近傍に位置するパチンコ機の周辺機器（例えばカードリーダ）に引っ掛かり、このことに気付かずにさらに本体を外枠に対し前方へ回動させると、裏カバー部材または本体に無理な力が与えられ裏カバー部材または本体を損傷させてしまう、という問題が生じた。
【００１１】
本発明は前述の事情を考慮してなされたものであり、その目的は、本体の回転端と裏カバー部材の回転端との両方が外枠の左右方向における一方側に設けられたパチンコ機であって、裏カバー部材の自由端が外枠または周辺機器に引っ掛かった状態で本体を前方へ回動させた場合に、裏カバー部材および本体の損傷を防止できるパチンコ機を提供することにある。
【課題を解決するための手段】
【００１２】
前述の目的を達成するために本発明は次のように構成されている。
【００１３】
遊技球が流下する遊技領域が前面に設けられた遊技盤を有する本体と、この本体が内側に嵌め込まれた外枠と、前記遊技盤の背面を覆う裏カバー部材とを備え、前記本体は前記外枠の左右方向における一方の側部に前方へ回動可能に取り付けられたパチンコ機において、前記裏カバー部材の左右方向における一方の側部を、前記本体の左右方向における一方の側部に対し、前記本体の前記外枠に対する回動の回転端よりも後方において回動可能に支持する回動支持手段と、前記裏カバー部材の左右方向における一方側とは反対側の他方の側部を、前記本体の左右方向における他方の側部に対し着脱可能とする着脱手段と、が設けられ、前記回動支持手段は、前記裏カバー部材および前記本体のいずれか一方に設けられて上下方向を軸方向とする軸部と、前記裏カバー部材および前記本体のいずれか他方に設けられ、前記軸部が挿入された軸受部と、を備え、前記軸受部は、前記軸部の軸方向に直交する切断面での前記軸受部の断面形状がＣ字形状に形成されて前記軸部をこの軸部の周方向に１８０°よりも大きな角度範囲で包囲して位置するものであり、かつ、前記軸部の周方向における両端間にあいた開口部が広がるよう弾性変形可能なものであり、前記開口部は前記軸受部の弾性変形により前記軸部が通過可能に広がることによって、前記裏カバー部材が前記本体に対し左右方向における他方側から一方側に向かう方向に移動するよう前記軸部と前記軸受部の相対移動を許可することを特徴とする。
【００１４】
このように構成された本発明に係るパチンコ機において、本体は外枠の左右方向における一方の側部に前方へ回動可能に取り付けられている。そして、裏カバー部材の左右方向における一方の側部は回動支持手段によって、本体の左右方向における一方の側部に対し、本体の外枠に対する回動の回転端よりも後方において回動可能に支持されている。つまり、本発明に係るパチンコ機は、本体の回転端と裏カバー部材の回転端との両方が外枠の左右方向における一方側に設けられたものである。
【００１５】
また、軸受部は、軸方向に直交する切断面での軸受部の断面形状がＣ字形状に形成されて軸部をこの軸部の周方向に１８０°よりも大きな角度範囲で包囲して位置するものであり、かつ、軸部の周方向における両端間にあいた開口部が弾性変形により広がるものである。そして、開口部は軸受部の弾性変形により軸部が通過可能に広がることによって、裏カバー部材が本体に対し左右方向の他方側から一方側に向かう方向に移動するよう軸部と軸受部の相対移動を許可する。裏カバー部材の自由端が外枠またはパチンコ機の周辺機器に引っ掛かった状態で本体を前方へ回動させると、裏カバー部材は外枠または周辺機器から反力を受ける。この反力には左右方向の他方から一方に向かう方向の成分が含まれている。ここで、軸部が裏カバー部材に設けられており軸受部が本体に設けられているとすると、その反力の成分によって軸部が開口部近傍に位置する軸受部の内面に押し付けられ、これによって軸受部が弾性変形して開口部が広がり、軸部が開口部内を移動して軸受部から離脱する。つまり、裏カバー部材の自由端が外枠または周辺機器に引っ掛かった状態で本体が外枠に対し前方へ回動した場合に、裏カバー部材の軸部が本体の軸受部から離脱することによって、裏カバー部材および本体の損傷を防止することができる。
【００１６】
なお、軸部が本体に設けられており軸受部が裏カバー部材に設けられている場合には、外枠または周辺機器から裏カバー部材への反力の成分によって開口部近傍の軸受部の内面が軸部に押し付けられ、これによって軸受部が弾性変形して開口部が広がり、軸受部が開口部を通じて軸部から離脱する。したがって、裏カバー部材の自由端が外枠またはパチンコ機の周辺機器に引っ掛かった状態で本体が外枠に対し前方へ回動した場合に、裏カバー部材および本体の損傷を防止することができる。
【発明の効果】
【００１７】
本発明に係るパチンコ機によれば、本体を外枠に対し前方へ回動させた状態では、裏カバー部材を本体に対し回動させると、本体の回動の自由端側から遊技盤の背面が露出するので、本体を外枠に対して９０°程度まで回動させることなく、さらに裏カバー部材を本体から取り外すこともなく、遊技盤の背面の装置に対してメンテナンスを行うことができる。
【００１８】
さらに、裏カバー部材の自由端が外枠またはパチンコ機の周辺機器に引っ掛かった状態で本体が外枠に対し前方へ回動した場合に、軸部と軸受部とが離脱することによって、裏カバー部材および本体の損傷を防止することができる。
【図面の簡単な説明】
【００１９】
【図１】本発明に係るパチンコ機を前面側から見た状態の斜視図である。
【図２】図１に示したパチンコ機の前面枠を開放し遊技盤および裏カバー部材を取り除いた状態の斜視図である。
【図３】図１に示したパチンコ機から前面扉を取り外した状態の前面図である。
【図４】図１に示したパチンコ機から前面扉および遊技盤を取り除いた状態の前面図である。
【図５】図４に示したパチンコ機を背面側から見た状態の斜視図である。
【図６】図４，図５に示したパチンコ機の分解斜視図である。
【図７】図４，図５に示したパチンコ機の上面図であり、（ａ）は本体枠が外枠に対し回動していない状態であり、かつ裏カバー部材が本体枠に対し回動していない状態を示し、（ｂ）は本体枠が外枠に対し前方へ回動した状態を示し、（ｃ）裏カバー部材が本体枠に対し後方へ回動した状態を示す。
【図８】図４中のＡ−Ａ切断線に対応する断面図であり、（ａ）は本体枠が外枠に対し回動していない状態であり、かつ裏カバー部材が本体枠に対し回動していない状態を示し、（ｂ）は本体枠が外枠に対し前方へ回動した状態を示す。
【図９】図６に示した斜視図とは左右方向の反対側から見た裏カバー部材および管部材の拡大斜視図である。
【図１０】図４中のＢ−Ｂ切断線に対応する断面図であり、（ａ）は本体枠が外枠に対し回動していない状態であり、かつ裏カバー部材が本体枠に対し回動していない状態を示し、（ｂ）は裏カバー部材が本体枠に対し後方へ回動した状態を示す。
【図１１】図１０中のＣ部拡大図である。
【図１２】本体枠に裏カバー部材を回動可能に支持する回動支持手段の拡大図であって、（ａ）は図５中のＤ部拡大図であり、（ｂ）は回動支持手段を左側方から見た状態の拡大図である。
【図１３】図６に示した裏カバー部材の拡大斜視図である。
【図１４】図４中のＥ−Ｅ切断線に対応する断面図であり、（ａ）は本体枠が外枠に対し回動していない状態であり、かつ裏カバー部材が本体枠に対し回動していない状態を示し、（ｂ）は本体枠に対し裏カバー部材が後方へ回動した状態を示す。
【図１５】図１４（ａ）中のＦ部拡大図である。
【図１６】裏カバー部材が本体枠に係止されるときのガイド突起の様子を段階的に示した断面図であり、（ａ）はガイド突起が本体枠から離れた状態を示し、（ｂ）ガイド突起がガイド面に接触した状態を示し、（ｃ）裏カバー部材の本体枠に対する係止が完了したときの状態を示す。
【図１７】図１６中のＧ１〜Ｇ３部の拡大図である。
【図１８】図４中のＨ−Ｈ断面図である。
【図１９】図１８中のＩ部拡大図である。
【図２０】本体枠の外枠に対する回動中に裏カバー部材の右端部が外枠に引っ掛かる様子を示す図である。
【図２１】本体枠の外枠に対する回動中に裏カバー部材の右端部がパチンコ機の周辺設備（カードリーダ）に引っ掛かる様子を示す図である。
【図２２】図１１に示したものとは別の回動支持手段の例を示す図である。
【発明を実施するための形態】
【００２０】
本発明の一実施形態に係るパチンコ機について図１〜図２０を用いて説明する。なお、ここでは、パチンコ機の左右方向を、パチンコ機に対面する遊技者の左右方向として説明している。
【００２１】
図１に示すように、本実施形態に係るパチンコ機１は左右方向よりも上下方向に長い長方形状に形成された外枠２０と、この外枠２０の左右方向における一方の側部（図１の左側の長辺）に開き戸状に回動可能に取り付けられた前面扉３とを備えている。前面扉３には、透明窓４が設けられている。前面扉３の透明窓４の下方には、遊技球を収容する受け皿５と、遊技球の発射強度を調整するためのハンドル６とが、前方に突出して設けられている。前面扉３の左上部および右上部のそれぞれには、スピーカ７，８のそれぞれが取り付けられている。また、前面扉３の左下方にはスピーカ７，８よりも大きなスピーカ９が設けられている。このスピーカ９は前面扉３とは別体である。
【００２２】
図２〜図６を参照して分かるように、外枠２０の内側には、左右方向よりも上下方向に長い長方形状の本体枠３０が嵌め込まれている。この本体枠３０には、前面に遊技球が流下する楕円形の遊技領域３１ａが設けられた遊技盤３１（図３に示す）が嵌め込まれる。その遊技領域３１ａは前面扉３の透明窓４を透かして見えるものである。遊技領域３１ａには、特別図柄を表示する特別図柄表示装置、普通図柄を表示する普通図柄表示装置が設けられている（図示省略）。遊技領域３１ａの略中央には液晶表示装置を視認可能にする視認窓が設けられており、その視認窓の周囲には可動役物装置が設けられている（図示省略）。液晶表示装置は特別図柄に係る電子抽選を演出するための画面を表示するものであり、可動役物装置は構造物を機構により動作させることで、特別図柄に係る電子抽選を演出するものである。遊技領域３１ａには、それらの他にも、電飾のためのＬＥＤ、電動チューリップ、大入賞口装置（アタッカー）が設けられている（図示省略）。このように遊技領域３１ａに設けられた種々の装置を駆動制御するための諸装置が遊技盤３１の背面に設けられている（図示省略）。それら諸装置を含む遊技盤３１と本体枠３０とによってパチンコ機１の本体が構成されている。
【００２３】
本体枠３０の背面には、裏カバー部材４０が設けられている。この裏カバー部材４０は前面側で開口し後方に奥行きを有した形状であり、遊技盤３１の背面の諸装置を覆っている。
【００２４】
本体枠３０の背面上部には、パチンコ機の島上部に設置された上部タンクから供給される遊技球を貯留する貯留タンク３４が設けられている。この貯留タンク３４は左右方向に長い形状を成しており、その左端下部から遊技球を排出するようになっている。本体枠３０の左辺３０ａの背面には管部材３５が上下方向に延びて設けられている。この管部材３５の内部には、遊技球の通路が形成されており、貯留タンク３４から排出された遊技球はその通路を通じて払出装置３６に導かれる。払出装置３６は貸出数または賞球数に応じて制御され、貯留タンク３４からの遊技球を受け皿５に供給する。貯留タンク３４、管部材３５および払出装置３６もパチンコ機１の本体に含まれている。
【００２５】
図７（ａ）と同図（ｂ）を比較して分かるように、パチンコ機１において、本体枠３０は外枠２０の前面側において、外枠２０の左右方向における一方の側部である左辺２０ａに、外枠２０の内側から前方（矢印Ｋｆ方向）へ回動可能に取り付けられている。その取付構造は、外枠２０の左辺２０ａの上端から前方に張り出した上側支持部２２と、本体枠３０の左辺３０ａの上端から前方に張り出した上側張出部３２とが回動可能にピン結合され、かつ、外枠２０の左辺２０ａの下端寄りの中間部から前方に張り出した下側支持部２３と、本体枠３０の左辺３０ａの下端から前方に張り出した下側張出部３３とが回動可能にピン結合されて構成されている（図５，図１８参照）。なお、前面枠３も同様にして外枠２０に回動可能に結合されており、外枠２０に対する前面枠３と本体枠３０の回動中心は同軸に設定されている。
【００２６】
図７（ａ）と同図（ｃ）を比較して分かるように、裏カバー部材４０は左右方向における本体の一方の側部、すなわち本体枠３０の左辺３０ａに、後方（矢印Ｋｏ方向）へ回動可能に取り付けられている。
【００２７】
図８（ａ）と同図（ｂ）を比較して分かるように、裏カバー部材４０の右側部は、後側に位置する部分ほど左側に位置するよう傾斜している。これは、本体枠３０の回動に伴う裏カバー部材４０の移動時に裏カバー部材４０が外枠２０に接触しない範囲で、裏カバー部材４０の右側部をできるだけ外側に位置させるため、すなわち、遊技盤３１の背面に対し裏カバー部材４０が覆う左右方向の領域をできるだけ広くするためである。同図（ｂ）中の太い２点鎖線は、裏カバー部材４０の右側部のうち本体枠３０の回動中心から最も離れて位置する角部４０ａの軌道の一部を示す。
【００２８】
裏カバー部材４０が本体枠３０に対し回動可能に取り付けられていることは既に述べた。その取付構造について、図５，図９〜図１２を用いて次に説明する。
【００２９】
図９に示すように、裏カバー部材４０の左右方向における一方の側部、すなわち、本体枠３０の外枠２０に対する回動の回転端と同じ側である左側部（図９では右側に位置する）には、左方に突出した突出部５０が、上下方向に２つ並んで設けられている。突出部５０からは、上下方向を軸方向とする軸部５１が下方に突起している。管部材３５の背面には、前方に窪んだ切欠き６０が上下方向に２つ並んで設けられている。切欠き６０の内面下部は、下方に窪んで軸受部６１を成している。図５，図１２を参照して分かるように、上側の切欠き６０には上側の突出部５０が挿入され、下側の切欠き６０には下側の突出部５０が挿入される。図１１，図１２を参照して分かるように、軸部５１は軸受部６１に挿入されている。軸部５１と軸受部６１は相対的に回動可能である。つまり、軸部５１と軸受部６１は、裏カバー部材４０の左側部を、本体枠３０の左側部に対し回動可能に支持する回動支持手段を構成している。裏カバー部材４０は回動支持手段により、本体枠３０に対し軸部５１を中心に回動可能である。特に、本体枠３０が外枠２０に対し回動していない状態において、裏カバー部材４０の回動方向は、後方（矢印Ｋｏ方向）となる。
【００３０】
図１１に示すように、軸部５１は、軸方向に直交する方向の断面形状が略円形に形成されている。図１３に示すように、軸受部６１は、軸部５１の軸方向に直交する切断面での軸受部６１の断面形状がＣ字形状に形成されて軸部５１をこの軸部５１の周方向に１８０°よりも大きな角度範囲で包囲して位置するものであり、かつ、軸部５１の周方向における両端間にあいた開口部６２が広がるよう弾性変形可能なものである。開口部６２は軸受部６１の弾性変形で軸部５１が通過可能に広がることによって、裏カバー部材４０が本体枠３０に対し左右方向における他方側（右側）から一方側（左側）に向う方向、すなわち左方向（矢印Ｌ方向）に移動するよう軸部５１と軸受部６１の相対移動を許可する。
【００３１】
軸受部６１について次に詳細に説明する。
【００３２】
管部材３５は第１部材３５ａと第２部材３５ｂとを左右方向において結合して成る。これら第１部材３５ａと第２部材５３ｂはいずれも合成樹脂が成形されたものである。第１部材３５ａには軸部５１の略半周を包囲する半筒面６１ａが形成されている。第２部材３５ｂには、開口部６２の上部領域を狭めるよう突起する２つの狭窄突起６３が設けられている。これら狭窄突起６１の軸部５１側の面と半筒面６１ａとによって軸受部６１は、全体としてＣ字形状を成している。狭窄突起６３の間隔寸法は軸部５１の径寸法よりも小さく設定されており、これによって、軸受部６１は軸部５１をこの軸部５１の周方向に１８０°よりも大きな角度範囲で包囲して位置する。軸受部６１の弾性変形により開口部６２のうち２つの狭窄突起６３間の間隔寸法が軸部５１の径寸法よりも大きく広がることで、軸部５１が開口部６２を通過することによる軸部５１と軸受部６１との相対移動が許可される。
【００３３】
開口部６２は、切欠き６０の下面に形成された溝部６４と連続している。この溝部６４は、開口部６２から右方向に延びて管部材３５の右側面で開口している。溝部６４の前後方向の寸法は、軸部５１の径寸法よりも大きい。つまり、軸部５１と軸受部６１が開口部６２を通じて離脱する際、軸部５１は軸受部６１から溝部６４に移動するようになっている。
【００３４】
図１２に示すように、突出部５０の軸部５１の上方には、後方に鍔状に突出した後鍔部５３と、前方に鍔状に突出した前鍔部５２とが設けられている。これら後鍔部５３と前鍔部５２は、軸部５１が軸受部６１に挿入された状態において、軸受部６１の上端に当接し軸部５１が下方に移動するのを規制している。
【００３５】
また、管部材３５の切欠き６０の内面には、後方に突出した規制部６５が設けられている。この規制部６５は、軸部５１の前鍔部５２に対し上方から重なって位置する。つまり、規制部６５は前鍔部５２の上方への移動を規制し、これによって軸部５１が軸受部６１から抜けるのを防止している。ただし、裏カバー部材４０の本体枠３０に対する後方への回動角度が所定角度以上となった状態では、前鍔部５２は規制部６５の右側方（図１２（ａ）では左側方）に位置し、すなわち規制部６５が上方に重なった状態から脱し、これによって軸部５１を軸受部６１から上方に抜くこと、すなわち、裏カバー部材４０を本体枠３０から取り外すことが許可された状態となる。
【００３６】
図１３に示すように、裏カバー部材４０の左右方向における他方の側部である右側部（図１３では左側に位置する）、すなわち裏カバー部材４０の本体枠３０に対する回動の自由端には、可動係止部７０が上下方向に並んで設けられている。この可動係止部７０は、前方に延びて左右方向の可撓性を有する片持ち梁状の可撓部７１と、この可動係止部７０の先端に設けられた爪部７２とを有している。図１４，図１５を参照して分かるように、本体の右側部、すなわち本体枠３０の右辺３０ｂには、爪部７２が係止される固定係止部８０が設けられている。爪部７２は、外枠２０に対し本体枠３０が回動していない状態で、かつ、本体枠３０に対し裏カバー部材４０が回動していない状態において、先端から後方に位置する部分ほど右方に位置するよう形成された斜面７２ａと、この斜面７２ａの後端から左方に広がった返り面７２ｂとを有する。固定係止部８０は、可動係止部７０の爪部７２の返り面７２ｂに、前方から当接される係止面８１と、この係止面８１の左端から後方に広がり可撓部７１が右方向に復元するのを規制する規制面８２とを有する。可動係止部７０の可撓部７１を左方向に撓ませることで、可動係止部７０の爪部７２が固定係止部８０の係止面８１よりも左側に移動し、これにより裏カバー部材４０の本体枠３０に対する係止が解除された状態、すなわち、図１４（ｂ）示すように裏カバー部材４０を本体枠３０に対し後方（矢印Ｋｏ方向）へ回動させることができる状態となる。逆に、裏カバー部材４０が本体枠３０に対し後方へ回動した状態から、本体枠３０に対し裏カバー部材４０を前方へ回動させつつ、可動係止部７０の可撓部７１を左方向に撓ませ、固定係止部８０の係止面８１よりも可動係止部７０の返り面７２ｂを前方に移動させた後に復元させることによって裏カバー部材４０を本体枠３０に係止させることができる。つまり、可動係止部７０と固定係止部８０は、裏カバー部材４０の右側部を、本体枠３０の右側部に対し着脱可能とする着脱手段を構成している。
【００３７】
図１３に示すように、裏カバー部材４０の可動係止部７０よりも上方には、ガイド突起９０が前方に突出して設けられている。図１６，図１７を参照して分かるように、ガイド突起９０の前端部の右側部分にはカバー側横ガイド面９１が設けられている。このカバー側横ガイド面９１は、後方に位置する部分ほど右方に位置するよう、すなわち上面視において右斜め後方に傾斜している。本体枠３０の上部には、右方に位置する部分ほど後方に位置するよう傾斜した本体側横ガイド面９３が設けられている。また、図１８，図１９を参照して分かるように、ガイド突起９０の前端部の下側部分にはカバー側縦ガイド面９２が設けられている。外枠２０に対し本体枠３０が回動していない状態で、かつ、本体枠３０に対し裏カバー部材４０が回動していない状態において、カバー側縦ガイド面９２は前方に位置する部分ほど上方に位置するよう傾斜している。本体枠３０の上部には、本体側縦ガイド面９４が設けられている。外枠２０に対し本体枠３０が回動していない状態において、本体側縦ガイド面９４は、本体側横ガイド面９３の下端から広がっており、前方に位置する部分ほど上方に位置するよう傾斜している。本体側横ガイド面９３および本体側縦ガイド面９４の左方には、前方に向かって窪んだ凹部９５が設けられている。図１６に示すように、裏カバー部材４０の本体枠３０に対する前方への回動に伴い、ガイド突起９０は本体枠３０に対し円弧状の軌跡を描きながら前方（矢印Ｋｃ方向）に移動し、本体側横ガイド面９３および本体側縦ガイド面９４のそれぞれに対し、カバー側横ガイド面９１およびカバー側縦ガイド面９２のそれぞれの位置で接する。これによって、ガイド突起９０は前方へ移動しながら左上方に案内され、その後、本体側横ガイド面９３および本体側縦ガイド面９４よりも左方まで移動して凹部９５に嵌り込む。
【００３８】
裏カバー部材４０の軸部５１と管部材３５の軸受部６１との間にはクリアランスが設けられており、さらに管部材３５の本体枠３０に対する取付けには遊びが設けられているため、裏カバー部材４０の自由端が本体枠３０から離れた状態では裏カバー部材４０の自重によって、自由端側が回転端側よりも下方に傾いた状態となる。裏カバー部材４０の本体枠３０に対する前方への回動中、ガイド突起９０はカバー側横ガイド面９１、カバー側縦ガイド面９２、本体側横ガイド面９３および本体側縦ガイド面９４により左上方に案内されることによって、裏カバー部材４０は回転端側が自由端側よりも下方に傾いた状態から、傾いていない状態に矯正される。また、可動係止部７０の爪部７２は、ガイド突起９０がカバー側縦ガイド面９２、本体側横ガイド面９３および本体側縦ガイド面９４により案内されることによって、固定係止部８０に係止される高さ位置に案内される。裏カバー部材４０の剛性は、ガイド突起９０が凹部９５に挿入され、かつ可動係止部７０が固定係止部８０に係止された状態で確保されるようになっている。
【００３９】
このように構成された本実施形態に係るパチンコ機１においては、裏カバー部材４０は本体枠３０の背面に取り付けられるものであり、裏カバー部材４０の本体枠３０に対する回動の回転端は本体枠３０の外枠２０に対する回転端よりも後方に位置するので、本体枠３０が外枠２０に対し前方へ回動すると、裏カバー部材４０は外枠２０に対し左右方向における一方側から他方側に向かって、すなわち右方向に移動することになる。このため、裏カバー部材４０の本体枠３０に対する回動の自由端は、本体枠３０に係止されていない状態で、すなわち可動係止部７０の爪部７２が固定係止部８０の係止面８１に係止されていない状態で、本体枠３０を外枠２０に対し前方へ回動させたとき、本体枠３０に係止されていた状態での軌道（図８（ｂ）参照）よりも右側に移動する。したがって、図２０，図２１に示すように裏カバー部材４０の自由端（右端部）が外枠２０の右辺２０ｂまたはパチンコ機１の周辺機器であるカードリーダ１００に引っ掛かってしまう。
【００４０】
裏カバー部材４０の自由端が外枠２０またはカードリーダ１００に引っ掛かった状態で本体枠３０を前方へ回動させると、裏カバー部材４０は外枠２０またはカードリーダ１００から反力を受ける。この反力は左方向の成分を含んでいる。その左方向の成分によって軸部５１が軸受部６１の２つの狭窄突起６３に押し付けられ、これによって軸受部６１が弾性変形して２つの狭窄突起６３の間隔が前後方向に広がり、軸部５１が開口部６２内を移動して軸受部６１から離脱する。このとき、軸部５１は軸受部６１から溝部６４に移動し、これにより、軸受部６１から離脱すると同時に裏カバー部材４０が本体枠３０から落下することが防止される。
【００４１】
本実施形態に係るパチンコ機１によれば次の効果を得られる。
【００４２】
本実施形態において、本体枠３０を外枠２０に対し前方へ回動させた状態では、裏カバー部材４０を本体枠３０すなわち本体に対し回動させると、本体枠３０の回動の自由端側から遊技盤３１の背面が露出するので、本体を外枠に対して９０°程度回動させることなく、さらに、裏カバー部材４０を本体から取り外すことなく、遊技盤３１の背面の諸装置に対するメンテナンスを行うことができる。
【００４３】
さらに、本実施形態においては、裏カバー部材４０の自由端が外枠２０またはカードリーダ１００に引っ掛かった状態で本体枠３０を外枠２０に対し前方へ回動させた場合に、裏カバー部材４０に設けられた軸部５１が本体枠３０に設けられた軸受部６１から離脱することによって、裏カバー部材４０および本体の損傷、特に裏カバー部材４０と管部材３５と結合部の損傷、および、管部材３５と本体枠３０との結合部の損傷を防止することができる。
【００４４】
なお、前述の実施形態において、回動支持手段の軸部５１が裏カバー部材４０に設けられており、軸受部６１が本体に設けられていたが、本発明はこれに限定されるものではなく、軸部５１が本体に設けられており、軸受部６１が裏カバー部材４０に設けられていてもよい。この場合、図２２に示すように、軸部５１に対する開口部６２の位置は、前述の実施形態における左側とは反対側の右側となり、裏カバー部材４０の自由端（右端部）が外枠２０またはカードリーダ１００に引っ掛かった状態で本体枠３０を外枠２０に対し前方へ回動させた場合に、裏カバー部材４０に設けられた軸受部６１が本体枠３０に設けられた軸部５１から離脱することによって、裏カバー部材４０および本体枠３０の損傷を防止することができる。
【符号の説明】
【００４５】
１  パチンコ機
２０  外枠
２０ａ  左辺
２０ｂ  右辺
２２  上側支持部
２３  下側支持部
３０  本体枠
３０ａ  左辺
３０ｂ  右辺
３１  遊技盤
３１ａ  遊技領域
３２  上側張出部
３３  下側張出部
４０  裏カバー部材
５０  突出部
５１  軸部
６０  切欠き
６１  軸受部
６１ａ  半筒部
６２  開口部
６３  狭窄突起
７０  可動係止部
８０  固定係止部
【図１】
0005417212.tif 000002
【図２】
0005417212.tif 000003
【図３】
0005417212.tif 000004
【図４】
0005417212.tif 000005
【図５】
0005417212.tif 000006
【図６】
0005417212.tif 000007
【図７】
0005417212.tif 000008
【図８】
0005417212.tif 000009
【図９】
0005417212.tif 000010
【図１０】
0005417212.tif 000011
【図１１】
0005417212.tif 000012
【図１２】
0005417212.tif 000013
【図１３】
0005417212.tif 000014
【図１４】
0005417212.tif 000015
【図１５】
0005417212.tif 000016
【図１６】
0005417212.tif 000017
【図１７】
0005417212.tif 000018
【図１８】
0005417212.tif 000019
【図１９】
0005417212.tif 000020
【図２０】
0005417212.tif 000021
【図２１】
0005417212.tif 000022
【図２２】
0005417212.tif 000023